(57)【要約】【課題】上衣２の左右両肩部に設ける肩パット１において、吸水性（吸汗性）を十分に確保しながらも速やかに乾燥させることができるものとする。【解決手段】親水処理が施された合成繊維の短繊維を素材とする不織布３により形成されているものとした。合成繊維は、１０デニール以上２０デニール以下のポリエステル短繊維とした。また不織布３において合成繊維の含有量は５０重量％以上とした。【選択図】図１
2005048327.tif 000002
【特許請求の範囲】
【請求項１】
少なくとも芯材が、親水処理が施された合成繊維の短繊維を素材とする不織布（３）により形成されていることを特徴とする衣料用パット。
【請求項２】
前記合成繊維は、１０デニール以上２０デニール以下のポリエステル短繊維であることを特徴とする請求項１記載の衣料用パット。
【請求項３】
前記不織布（３）において合成繊維の含有量が５０重量％以上であることを特徴とする請求項１又は請求項２記載の衣料用パット。
【発明の詳細な説明】
【技術分野】
【０００１】
本発明は、背広、上着、スーツ等の肩パット、ブラジャーや水着の乳パッド等の衣料用パットに関するものである。
【背景技術】
【０００２】
背広などの上衣には、多くの場合、その左右両肩部に対して成形用及び型くずれ防止用に肩パットが設けられている。この種の肩パットの形成材料の一つとして不織布が用いられることがあるのは公知である（例えば、特許文献１や特許文献２等参照）。この不織布には、例えばポリエステル系の繊維をニードルパンチ法等で編成したものが採用されている。なお、肩パットはこの不織布だけ（それ単体）で形成されているわけではなく、不織布の上面や下面にフェルトやその他の布帛等で形成されたカバー材が設けられているのが一般的である。しかし、不織布は肩パットの芯材（保形作用）として最も枢要な部分であることに代わりはない。
【０００３】
ところで、肩パットや乳パットを具備した衣料において、近頃の製品には水洗い可能なもの（いわゆるウォッシャブル製品）が増えてきているが、この種の衣料では、パットが乾きにくく、最後まで湿り気が残るということがあった。そこで、パットの中で最もボリュウムを占めている芯材において、速やかに乾燥する特性を持たせようとする試みがなされていた。これは不織布に撥水加工を施しておくといったものである。なお、撥水加工の施し易さとの関連性は不明であるが、不織布の素材として用いるポリエステル系の繊維には４〜８デニールのものを用いている（上記特許文献２参照）。
【特許文献１】特開２０００−３４５４１６号公報
【特許文献２】特開２００１−３２１１９号公報
【発明の開示】
【発明が解決しようとする課題】
【０００４】
従来の衣料用パットのうち、撥水加工を施した不織布で形成したものは、撥水性、即ち、水分の付着を防止する（水濡れしないようにする）という観点に基づいたものであり、そもそも、水濡れしたものを乾燥させるという考え方ではない。このような不織布を用いたパットでは水濡れしないことになるのであるから、結果として吸水性が無いか又は乏しいと言わなければならず、従って吸汗性がないということになって、上衣としての着心地を犠牲にしていることになる。
本発明は、上記事情に鑑みてなされたものであって、吸水性（吸汗性）を十分に確保しながらも速やかに乾燥させることができる衣料用パットを提供することを目的とする。
【課題を解決するための手段】
【０００５】
前記目的を達成するために、本発明は次の手段を講じた。
即ち、本発明に係る衣料用パットは、少なくとも芯材が親水処理が施された合成繊維の短繊維を素材とする不織布により形成されている。合成繊維は、１０デニール以上２０デニール以下のポリエステル短繊維であるとするのが好適であり、またこの不織布において、合成繊維の含有量は５０重量％以上とするのが好適である。
このような構成であると、合成繊維自体が親水性を有しており、吸水性（吸汗性）を発揮し得ることになる。また合成繊維が所定の太さを有したものとさせることで吸収した水分の拡散率を高め、速やかな乾燥を実現させている。また、このような不織布がパット内で占める割合を所定以上とさせたことで、パット全体としても速やかに乾燥するという利点がある。
【発明の効果】
【０００６】
本発明に係る衣料用パットは、吸水性（吸汗性）を十分に確保しながらも速やかに乾燥させることができる。
【発明を実施するための最良の形態】
【０００７】
以下、本発明の実施の形態を、図面に基づき説明する。
図１は、本発明に係る衣料用パットとして肩パット１の一実施形態を示しており、この肩パット１は例えば図２に示すように背広等をはじめとする種々の上衣２に対し、その左右両肩部に設けられる。この肩パット１は、その全体にボリュウムを持たせるための芯材として不織布３を有している。肩パット１には、上衣２への取付状態として肩部形状に応じた前後の凸湾曲形状が付与されているが、この凸湾曲形状は、肩パット１自体に当初から付与されたものとしてもよいし、上衣２への取り付けによって所定形状を保持されるものでもよい。また、この凸湾曲形状が当初より肩パット１に付与されるものであるとき、不織布３に恒久的な塑性変形を加えることでこの付与を行うものであってもよいし、不織布３の上面や下面にカバー材５を設けてこれらカバー材５による形状的な矯正で不織布３に変形状態を保持させるものでもよい。
【０００８】
上記不織布３は、親水処理が施された合成繊維（以下、「親水性合成繊維」という）の短繊維を素材として形成されている。親水性合成繊維とは、親水性皮膜を媒体として水を繊維表面に拡散することが可能な合成繊維である。
合成繊維の短繊維としてはポリエステル短繊維を用いることができる。この場合、ポリエステル短繊維は、その太さが１０デニール以上で２０デニール以下とされている。１０デニールに満たないものでは、水分を吸収したときにその拡散率が不十分となって乾燥に時間を要することになってしまう。また２０デニールを超えると保形成が悪くなる。
【０００９】
なお、合成繊維の短繊維として、ポリエステル以外にはポリブチレンテレフタレート、ポリアクリロニトリル、ポリプロピレン等を採用することもできる。
合成繊維の短繊維に対して親水処理を施すには、処理の対象にする合成繊維に対し、適宜親水剤（例えばポリアルキレングリコールやイソフタル酸金属塩共重合ポリエチレンテレフタレート等）を混合又は共重合させたり、アクリル酸系ビニルモノマーをグラフト共重合させたうえでグラフトポリマーのカルボキシル基を金属塩とさせたり、親水性高分子重合体（例えば、ポリアルキレングリコール−ポリエチレンテレフタレート共重合体等）を混合させたりすればよい。
【００１０】
このような合成繊維を不織布３において含有させる量は、その全体量の５０重量％以上とするのが好適である。５０重量％未満では、合成繊維に付与させた吸水性や速乾性などを不織布３の性能として反映させることができないか、又は反映不足となる嫌いがある。
このような構成の不織布３を有した肩パット１では、十分な吸水性（吸汗性）を発揮し、速やかな乾燥ができるものとなる。そのため、着衣時にあっては肩まわりの汗を素早く吸い取ると共に、これを速やかに乾かしてもとのカラットした状態へ戻せることになり、もって上衣２として快適な着心地を持続させることができるものであり、また上衣２を水洗いしたときには、肩パット１だけがいつまでも乾かずに湿気を持っているということはなくなるといった効果が得られる。
【００１１】
なお、前記親水処理が施された合成繊維の短繊維を素材とする不織布は、親水性合成繊維５０％以上の他に、場合により合成繊維の低融点繊維を５〜３０％混合することができる。
前記低融点繊維は、１〜１５デニールの太さのもので、２５〜１０２ｍｍの長さの短繊維である。また、前記低融点繊維は、親水性合成繊維の融点より３０℃以上融点の低い繊維であって、融点が１００〜２００℃のものである。
なお、低融点繊維とは、ポリエステル、ポリエチレン、ポリプロピレン等の合成繊維を変性し、融点を低くした繊維である。タイプは、芯鞘、全融、サイドバイサイドがある。低融点繊維は、不織布を肩パットに熱成型するときに、この繊維を溶かして成型するために使用する。この混合率を高くすれば、保型性が良化するが、硬く仕上がる。そのため通常、肩パット用の不織布では５〜３０％が一般的である。
【００１２】
親水繊維（低融点繊維を混合したものも含む）不織布の重量は、６０〜３５０ｇ／ｍ2であるのが好ましい。この場合、肩パット１は、不織布の積層または１枚もので構成した。この重量以外では、肩パットは作り難かった。
また、前記親水性合成繊維の長さも、２５〜１０２ｍｍ以内のものが好ましい。
前記カバー材５にも、親水処理を施せば、撥水性や吸水速乾性がより向上する。
なお図示省略するが、本発明の衣料用パットは、水着、ブラジャーなどの乳パット等にも使用される。
【産業上の利用可能性】
【００１３】
本発明は、背広、上着、スーツ、水着、ブラジャーなどの衣料産業において利用される。
【図面の簡単な説明】
【００１４】
【図１】本発明に係る肩パットの一実施形態を示した斜視図である。
【図２】上衣に対する肩パットの使用例を示した斜視図である。
【符号の説明】
【００１５】
１  肩パット
２  上衣
３  不織布
【図１】
2005048327.tif 000003
【図２】
2005048327.tif 000004